(57)【要約】【課題】            従来のアーチ部材を上面に有する定規であって、大量生産に適して価格を低廉なものとし、定規本体とアーチ部材の材料を異なるものとしても対応でき、加えて、ガタ付きがなく、定規本体の作業用エッジを対象物面に密接してずれてしまうことがない定規が存在していなかったという点である。【解決手段】        定規本体の上面に、上方から押圧することで前記定規本体を対象物に対し密接させるためのアーチ部材を備えた定規において、前記した定規本体の上面に相互に対向する一対の平行な立壁を長手方向に沿って設け、その立壁の長手方向に沿って前記アーチ部材を嵌装してあることとし、前記した立壁の上端縁には相互に内方に向けて屈曲された屈曲片が形成され、前記したアーチ部材の両外側面にはその屈曲片の下側に位置される突子が突設され、その突子が屈曲片でガイドされて立壁間に挿入されていることとする。【選択図】          図１
2014168884.tif 000002
【特許請求の範囲】
【請求項１】
定規本体の上面に、上方から押圧することで前記定規本体を対象物に対し密接させるためのアーチ部材を備えた定規において、前記した定規本体の上面に相互に対向する一対の平行な立壁を長手方向に沿って設け、その立壁の長手方向に沿って前記アーチ部材を嵌装してあることを特徴とする定規。
【請求項２】
前記した立壁の上端縁には相互に内方に向けて屈曲された屈曲片が形成され、前記したアーチ部材の両外側面にはその屈曲片の下側に位置される突子が突設され、その突子が屈曲片でガイドされて立壁間に挿入されていることを特徴とする請求項１に記載の定規。
【請求項３】
前記した屈曲片の下方には、前記した突子の上下動を許容する空隙が形成されていることを特徴とする請求項２に記載の定規。
【請求項４】
前記した立壁間の両端部開口にはアーチ部材の抜け止め部材が設けられていることを特徴とする請求項１から３のうち１項に記載の定規。
【請求項５】
前記した抜け止め部材のうち、少なくとも一方はアーチ部材の押圧による変形を吸収するクッション性を有する弾発構造となっていることを特徴とする請求項４に記載の定規。
【請求項６】
前記したアーチ部材の下側に当接する頂面部分を断面半円弧状とした湾曲板バネ部材を一個所もしくは任意間隔で複数個所に設け、定規本体の全長にわたる対象物面との当接部を押圧密接することを特徴とする請求項１から５のうち１項に記載の定規。
【請求項７】
前記した湾曲板バネ部材の定規本体上面との固定は一方をフリーとしてスライド可能としてあることを特徴とする請求項６に記載の定規。
【請求項８】
前記した湾曲板バネ部材のフリーとした端部にはバー材を備え、そのバー材の端部を前記立壁の下方に形成したスリット内に収めてあることを特徴とする請求項６または７に記載の定規。
【請求項９】
前記した湾曲板バネ部材の頂面下方には、アーチ部材の押圧時に、定規本体に設けられた透孔から外方へ突出される滑り止め部材が設けられていることを特徴とする請求項６から８のうち１項に記載の定規。
【請求項１０】
前記した湾曲板バネ部材の側縁に、前記した立壁の内壁面と当接するガタ付き防止用の支承バネを備えていることを特徴とする請求項６から９のうち１項に記載の定規。
【請求項１１】
前記した立壁とアーチ部材間に、前記した突子の抜け止めビスの包容部を一端に形成した板バネを介在させ、ガタ付きを防止していることを特徴とする請求項１から１０のうち１項に記載の定規。
【請求項１２】
前記した定規本体の裏面には、両サイドの対象物への当接面よりも短寸として、対象面とスペースを保持する一対の変形防止ストッパ突条が、定規本体の長手方向に沿って設けられていることを特徴とする請求項１から１１のうち１項に記載の定規。
【発明の詳細な説明】
【技術分野】
【０００１】
本発明は定規に関し、特に、定規本体の上面に、その定規本体の側縁エッジを対象物面上に密接させるため、押圧するアーチ部材を備えた定規の改良に関する。
【背景技術】
【０００２】
本件の出願人及び発明者は、従前、作業効率が良く、対象物と密に当接して、線を引いたり、カッターでカットするためのガイドとなる定規に関する特許出願をし、３件の特許を受けている。その各定規の中心となる要素は定規本体の上部に、その定規を対象物面上に密接させる力を与えるためのアーチ部材を有していることで、その技術内容は特許文献１〜３に開示されている。
【０００３】
しかしながら、この従来の定規の構造は、高精度を追及しており、アーチ部材は軸ピンを用いて定規本体のリブ（立壁）に支持する構成のため、ピッチを合わせ、位置特定をする作業が煩雑であり、歩留りも悪く大量生産にそぐわない面もあり、コスト高の要因となっていた。
【０００４】
また、定規本体とアーチ部材とを各々異なる材料で成形すると、その膨張率、伸縮率等の差から組み合わせることが困難となってしまい、素材の選択も画一的なものとなってしまっていた。
【先行技術文献】
【特許文献】
【０００５】
【特許文献１】特許第４２７８２０７号公報
【特許文献２】特許第４３８４７６４号公報
【特許文献３】特許第５１３７３２８号公報
【発明の概要】
【発明が解決しようとする課題】
【０００６】
本発明が解決しようとする問題点は、従来のアーチ部材を上面に有する定規であって、大量生産に適して価格を低廉なものとし、定規本体とアーチ部材の材料を異なるものとしても対応でき、加えて、ガタ付きがなく、定規本体の作業用エッジを対象物面に密接してずれてしまうことがない定規が存在していなかったという点である。
【課題を解決するための手段】
【０００７】
上記した問題点を解決するために、本発明に係る定規は定規本体の上面に、上方から押圧することで前記定規本体を対象物に対し密接させるためのアーチ部材を備えた定規において、前記した定規本体の上面に相互に対向する一対の平行な立壁を長手方向に沿って設け、その立壁の長手方向に沿って前記アーチ部材を嵌装してあることを特徴とし、前記した立壁の上端縁には相互に内方に向けて屈曲された屈曲片が形成され、前記したアーチ部材の両外側面にはその屈曲片の下側に位置される突子が突設され、その突子が屈曲片でガイドされて立壁間に挿入されていることを特徴とし、前記した屈曲片の下方には、前記した突子の上下動を許容する空隙が形成されていることを特徴としている。
【０００８】
また、本発明に係る定規は前記した立壁間の両端部開口にはアーチ部材の抜け止め部材が設けられていることを特徴とし、前記した抜け止め部材のうち、少なくとも一方はアーチ部材の押圧による変形を吸収するクッション性を有する弾発構造となっていることを特徴としている。
【０００９】
さらに、本発明に係る定規は前記したアーチ部材の下側に当接する頂面部分を断面半円弧状とした湾曲板バネ部材を一個所もしくは任意間隔で複数個所に設け、定規本体の全長にわたる対象物面との当接部を押圧密接することを特徴とし、前記した湾曲板バネ部材の定規本体上面との固定は一方をフリーとしてスライド可能としてあることを特徴とし、前記した湾曲板バネ部材のフリーとした端部にはバー材を備え、そのバー材の端部を前記立壁の下方に形成したスリット内に収めてあることを特徴とし、前記した湾曲板バネ部材の頂面下方には、アーチ部材の押圧時に、定規本体に設けられた透孔から外方へ突出される滑り止め部材が設けられていることを特徴とし、前記した湾曲板バネ部材の側縁に、前記した立壁の内壁面と当接するガタ付き防止用の支承バネを備えていることを特徴としている。
【００１０】
そして、本発明に係る定規は前記した立壁とアーチ部材間に、前記した突子の抜け止めビスの包容部を一端に形成した波状の板バネを介在させ、ガタ付きを防止していることを特徴とし、前記した定規本体の裏面には、両サイドの対象物への当接面よりも短寸として、対象面とスペースを保持する一対の変形防止ストッパ突条が、定規本体の長手方向に沿って設けられていることを特徴としている。
【発明の効果】
【００１１】
本発明に係る定規は上記のように構成されている。従って、定規本体にアーチ部材を組付けるについて、格別な軸ピンの位置合わせ等は必要なく、別異の材料を用いて作成しても容易にスライド嵌装することができ、ガタ付き防止のいくつかの要素でガタ付きをなくし、湾曲板バネ部材によるアーチ部材の支持力とその反力によって定規本体の作業用エッジは対象物面に密接固定される。また、格別な高精度を要求しないため、アーチ部材、定規本体も可塑性材料の押し出し成形で必要とする長さ、幅、厚さのものが自在に得られて、工業的に大量生産に適するものとなり、価格の低廉化を図ることができる。
【図面の簡単な説明】
【００１２】
【図１】本発明を実施した定規の分解斜視図である。
【図２】組み付け時の部分縦断面図である。
【図３】部分拡大図である。
【図４】アーチ部材の抜け止め構造を示す部分斜視図である。
【図５】平面図である。
【図６】アーチ部材の端部弾発部材を示す図である。
【図７】変形例を示す図である。
【図８】第二の変形例を示す図である。
【図９】ガタ付き防止用の波状の板バネを示す図である。
【図１０】使用状態を示す図である。
【図１１】湾曲バネ部材を示す図である。
【図１２】変形例を示す図である。
【図１３】支承バネの作用状態を示す図である。
【図１４】別の湾曲バネ部材を使用した図である。
【発明を実施するための形態】
【００１３】
図面として示し、実施例で説明したように構成したことで実現した。
【実施例１】
【００１４】
次に、本発明の好ましい実施の一例を図面を参照して説明する。図中１はプラスチック製で押し出し成形により得られる定規本体を示している。この定規本体１は長手方向に沿った両縁下面が対象となる紙や布地との当接部２、２ａとなり、テーパ面を形成した当接部２側には必要に応じて、金属で成形されたカッターガイドを装着することもできる。
【００１５】
この定規本体１は上面に、長手方向に沿って一対の相対向する立壁３、３を一体に設けている。この立壁３、３の上端縁には各々内方に向けて直角に屈曲した屈曲片４、４が一体に形成され、立壁３、３の下端寄りの肉厚部５、５との間に後述するアーチ部材の両外側面に設けられる突子の移動を許容するスペースＳが形成されている。そして、肉厚部５、５の下方には、やはり後述する湾曲板バネ部材の抜け止めを図るスリット６、６が形成されている。また、定規本体１の底面には、立壁３、３の直下位置に、その立壁３、３と平行に一対の突条７、７が一体に形成されており、この突条７、７の高さは、前記当接部２、２ａよりも低くなっており、対象物面との間に隙間が生じるものとしてあり、定規本体１に荷重がかかった際に、定規本体１の変形、破損を防止するためのものとなっている。即ち、上方から荷重が加えられると、当初は浮いていた突条７、７が接地して、その荷重を受けることで変形、破損を防止する。
【００１６】
一方、図中８はアーチ部材を示しており、このアーチ部材は略角筒状をし、その両側面には、長手方向に沿って略中央に断面Ｖ字状の溝９、９が形成されている。実施例では、この溝９、９を貫通してシャフト１０、１０が長手方向の端部に設けられ、そのシャフト１０、１０の端部はアーチ部材８の側面から外方へ突出して突子を構成している。
【００１７】
このシャフト１０、１０が装着されたアーチ部材８は、前記立壁３、３の屈曲片４、４に、そのシャフト１０、１０の突出端を沿わせて、立壁３、３間にスライド嵌装されることで組み付けられる。また、前記した立壁３、３の屈曲片４、４から肉厚部５、５にかけて、スペースＳを貫通させて前記シャフト１０、１０の突出端の抜け止めのためのビス１１、１１‥が立壁３、３の長手方向に沿った端部に取り付けられている。
【００１８】
また、前記したスペースＳ内にあって、シャフト１０の突出部分とビス１１の間にはガタ付きを防止吸収するための波状の板バネ１２が介在されている。この波状の板バネには一端にビス１１を包み込む包容部１２ａを形成しており、この包容部１２ａでビス１１を把持し、一端側でシャフト１０の突出部と当接し、弾発することで、シャフト１０の動きを許容しながら、クッション規制することで、スペースＳ内でのシャフト１０のガタ付きを防止吸収する。
【００１９】
さらに、前記したアーチ部材８の下方には、定規本体１との間に、一個以上の湾曲板バネ部材１３、１３‥が取り付けられている。この湾曲板バネ部材１３はアーチ部材８の下面と摺接する頂面１４は、断面半円弧状としてあり、バネ本体１５自体はステンレス等の金属で成形されるが、この頂面１４部分は滑性のよいプラスチックや木材等を使用し、この頂面１４を反り防止の半円状板部１６、１６間に設置する。この湾曲板バネ部材１３、１３‥は定規の長さに応じて任意の間隔、つまり必要個所へのピンポイントで自在に取り付けることができる。この湾曲板バネ部材１３、１３‥の存在によって定規本体１の当接部２、２ａは長さ全体にわたって対象物面上にくまなく押圧密接されることとなり、特に対象物が柔らかい布や皮革等であってもよれてしまうことなく、カッターによるカッティング作業が実行できることになる。
【００２０】
また、この湾曲板バネ部材１３は一端１７のみがリベット１７ａ、１７ａによって定規本体１の上面に固定され、他端はスライド可能な遊端となっている。この固定される一端は定規本体１の長手方向端部側となり、アーチ部材８によって頂面１４を押された時、定規本体１とアーチ部材８との間隔の大きい中央方向へスライドさせることで、この湾曲板バネ部材１３は頂面１４の半円弧状の構成と、遊端のスライドによって直下に下降する。
【００２１】
この湾曲板バネ部材１３は頂面１４の下面に下方からビス止めされる保持プレート１８を介して滑り止め部材１９が貼付されて設けられており、アーチ部材８の押圧で下降する湾曲板バネ部材１３の頂面１４と連動して、この滑り止め部材１９が定規本体１に穿設された透孔２１、２１から突出して、対象物面と当接し、定規本体１の位置ずれを防ぐ。また、２０はバネ本体１５が硬い場合、調整のため穿たれる透孔である。
【００２２】
さらに、この湾曲板バネ部材１３の遊端側の側縁には各々ガタ付き防止用の支承バネ２２、２２が備えられている。この支承バネ２２は弓形に形成されているもので、立壁３、３の下方内面と当接して、弾発力で、この内面を押すことで位置決めされ、ガタ付きを防止する。
【００２３】
また、この湾曲板バネ部材１３の遊端側の端部には、この湾曲板バネ部材１３の外れ防止のためのバー材２３が設けられており、このバー材２３を前記した肉厚部５、５の下方のスリット６内にその端部を収めることで湾曲板バネ部材１３が定規本体１から外れ落ちてしまうことを防止している。
【００２４】
さらに、前記した湾曲板バネ部材１３は図１４として示す１３ａのようにシンプルな一枚ものとしても実施できる。この場合、特に滑り止め部材１９の突出は格別に必要要素としていない、つまり、比較的短めの寸法の定規に適用できる。
【００２５】
そして、定規本体１の立壁３、３の長手方向端部間にはアーチ部材８の外れを防止し、固定するためのストッパ部材２４が定規本体１の下方からビス２５によって嵌め付け固定される。このストッパ部材２４はその側面に、立壁３、３の内壁面に形成される溝等と対応して密封する切り欠きや突部が形成されたものとなっている。
【００２６】
また、このストッパ部材として、一方側には図６〜図８として示す構成のものを用いることができる。図６として示すストッパ部材２４ａはＵ字状に曲成されたバネ性のもので、その曲成部にアーチ部材８の端部が当圧するもので、アーチ部材８の押圧による長手方向への変形を吸収する作用を有する。図７の場合のストッパ部材２４ｂは台形状に屈曲したバネ性のもので、一部が開放され、その開放された面でアーチ部材８の端部の当圧を受け、変形を吸収する。そして、図８として示すストッパ部材２４ｃはアーチ部材８の端部との当接面をアール状として開放してバネ性を有しているもので、やはり、アーチ部材８の変形を吸収することとなる。
【産業上の利用可能性】
【００２７】
本実施例に係る定規は上記のように構成されている。本実施例ではアーチ部材８は角筒状としたが、これにこだわらず平板状でもよく、シャフト１０もこれに限らずアーチ部材８の両側面に突子が構成されればよい。さらに、湾曲板バネ部材１３も頂面１４を定規本体１と摺接させるようにして、アーチ部材８の裏面に取り付けてしまうこともできる。
【符号の説明】
【００２８】
１    定規本体
２、２ａ    当接部
３    立壁
４    屈曲片
５    肉厚部
６    スリット
７    突条
８    アーチ部材
９    溝
１０  シャフト
１１，１７ａ，２５    ビス
１２  波状の板バネ
１３，１３ａ  湾曲板バネ部材
１４  頂面
１５  バネ本体
１６  半円状板部
１７  一端
１８  保持プレート
１９  滑り止め部材
２０，２１  透孔
２２  支承バネ
２３  バー材
２４，２４ａ，２４ｂ，２４ｃ    ストッパ部材
Ｓ    スペース
【図１】
2014168884.tif 000003
【図２】
2014168884.tif 000004
【図３】
2014168884.tif 000005
【図４】
2014168884.tif 000006
【図５】
2014168884.tif 000007
【図６】
2014168884.tif 000008
【図７】
2014168884.tif 000009
【図８】
2014168884.tif 000010
【図９】
2014168884.tif 000011
【図１０】
2014168884.tif 000012
【図１１】
2014168884.tif 000013
【図１２】
2014168884.tif 000014
【図１３】
2014168884.tif 000015
【図１４】
2014168884.tif 000016